(57)【要約】      （修正有）【課題】レバー状ないしタンブラ状の操作部分を用いて操作可能である新規の電動工作機械を提供する。【解決手段】スイッチ４０を介してオン／オフ可能な駆動モータ１２が配置された工具ハウジング２４を有し、工具ハウジング２４にはスイッチ４０を間接的に操作するための操作部分３２が配置されており、操作部分は工具ハウジング２４の長軸２６と平行に延びており、操作部分３２はレバー状に構成されるとともに工具ハウジングに旋回可能に配置されており、スイッチ４０の操作機構４２は、長軸２６に対して近似的に垂直に操作部分３２に作用する操作力ＦＢによって長軸２６と平行にスライド可能であり、駆動モータ１２は操作部分３２に対する操作力ＦＢの作用によってスイッチ４０の復帰力ＦＳに抗してスイッチオン可能であり、駆動モータ１２は利用者による操作部分のリリースによって少なくとも復帰力ＦＳに基づき自動的にスイッチオフ可能である。【選択図】図１
2019069511.tif 000002
【特許請求の範囲】
【請求項１】
工具受容部（２０）と、前記工具受容部（２０）を駆動するために電気オン／オフスイッチ（４０）を介してスイッチオン可能およびスイッチオフ可能な駆動モータ（１２）が中に配置された工具ハウジング（２４）とを有する電動工作機械（１０）であって、前記工具ハウジング（２４）には前記オン／オフスイッチ（４０）を少なくとも間接的に操作するための操作部分（３２,１００，２００，３００，４００，５００，６００，７００，８００，９００，１０００，１１００，１２００）が配置されており、前記操作部分（３２,１００，２００，３００，４００，５００，６００，７００，８００，９００，１０００，１１００，１２００）は少なくとも部分領域で前記工具ハウジング（２４）の長軸（２６）と少なくとも近似的に平行に延びている、そのような電動工作機械において、前記操作部分（３２,１００，２００，３００，４００，５００，６００，７００，８００，９００，１０００，１１００，１２００）はレバー状に構成されるとともに前記工具ハウジング（２４）に旋回可能に配置されており、前記電気オン／オフスイッチ（４０）の操作機構（４２）は前記長軸（２６）に対して少なくとも近似的に垂直に前記操作部分（３２,１００，２００，３００，４００，５００，６００，７００，８００，９００，１０００，１１００，１２００）に作用する操作力（ＦＢ）によって前記長軸（２６）と少なくとも近似的に平行にスライド可能であり、前記駆動モータ（１２）は前記操作部分（３２,１００，２００，３００，４００，５００，６００，７００，８００，９００，１０００，１１００，１２００）に対する前記操作力（ＦＢ）の作用によって前記電気オン／オフスイッチ（４０）の復帰力（ＦＳ）に抗してスイッチオン可能であり、前記駆動モータ（１２）は利用者による前記操作部分（３２,１００，２００，３００，４００，５００，６００，７００，８００，９００，１０００，１１００，１２００）のリリースによって少なくとも前記電気オン／オフスイッチ（４０）の前記復帰力（ＦＳ）に基づき自動的にスイッチオフ可能であり、
前記操作部分（１００，２００，３００，４００，５００，６００）は前記工具ハウジング（２４）に回転点（１０２，２０２，３０２，４０２，５０２，６０２）で旋回可能に受容され、前記回転点（１０２，２０２，３０２，４０２，５０２，６０２）の両側に第１および第２のアーム（１０６,１０８，２０６，２０８，３０６，３０８，４０６，４０８，５０６，５０８，６０６，６０８）を有するダブルアーム切換爪（１０４，２０４，３０４，４０４，５０４，６０４）を有するように構成され、
前記電気オン／オフスイッチ（４０）の前記操作機構（４２）は前記工具ハウジング（２４）に旋回可能に配置された山形レバー（１１０，２１０）の第１のアーム（１１２，２１２）によって操作可能であり、前記山形レバー（１１０）の第２のアーム（１１４）は前記ダブルアーム切換爪（１０４）に当接し、または、前記山形レバー（２１０）の第２のアーム（２１４）は連結ジョイント（２１８）により前記ダブルアーム切換爪（２０４）と結合されている、
ことを特徴とする電動工作機械。
【請求項２】
工具受容部（２０）と、前記工具受容部（２０）を駆動するために電気オン／オフスイッチ（４０）を介してスイッチオン可能およびスイッチオフ可能な駆動モータ（１２）が中に配置された工具ハウジング（２４）とを有する電動工作機械（１０）であって、前記工具ハウジング（２４）には前記オン／オフスイッチ（４０）を少なくとも間接的に操作するための操作部分（３２,１００，２００，３００，４００，５００，６００，７００，８００，９００，１０００，１１００，１２００）が配置されており、前記操作部分（３２,１００，２００，３００，４００，５００，６００，７００，８００，９００，１０００，１１００，１２００）は少なくとも部分領域で前記工具ハウジング（２４）の長軸（２６）と少なくとも近似的に平行に延びている、そのような電動工作機械において、前記操作部分（３２,１００，２００，３００，４００，５００，６００，７００，８００，９００，１０００，１１００，１２００）はレバー状に構成されるとともに前記工具ハウジング（２４）に旋回可能に配置されており、前記電気オン／オフスイッチ（４０）の操作機構（４２）は前記長軸（２６）に対して少なくとも近似的に垂直に前記操作部分（３２,１００，２００，３００，４００，５００，６００，７００，８００，９００，１０００，１１００，１２００）に作用する操作力（ＦＢ）によって前記長軸（２６）と少なくとも近似的に平行にスライド可能であり、前記駆動モータ（１２）は前記操作部分（３２,１００，２００，３００，４００，５００，６００，７００，８００，９００，１０００，１１００，１２００）に対する前記操作力（ＦＢ）の作用によって前記電気オン／オフスイッチ（４０）の復帰力（ＦＳ）に抗してスイッチオン可能であり、前記駆動モータ（１２）は利用者による前記操作部分（３２,１００，２００，３００，４００，５００，６００，７００，８００，９００，１０００，１１００，１２００）のリリースによって少なくとも前記電気オン／オフスイッチ（４０）の前記復帰力（ＦＳ）に基づき自動的にスイッチオフ可能であり、
前記操作部分（１００，２００，３００，４００，５００，６００）は前記工具ハウジング（２４）に回転点（１０２，２０２，３０２，４０２，５０２，６０２）で旋回可能に受容され、前記回転点（１０２，２０２，３０２，４０２，５０２，６０２）の両側に第１および第２のアーム（１０６,１０８，２０６，２０８，３０６，３０８，４０６，４０８，５０６，５０８，６０６，６０８）を有するダブルアーム切換爪（１０４，２０４，３０４，４０４，５０４，６０４）を有するように構成され、
前記電気オン／オフスイッチ（４０）の前記操作機構（４２）は前記工具ハウジング（２４）に旋回可能に配置されたシングルアームのレバー（３１０）の横方向アーム（３１４）によって操作可能であり、その１つのアーム（３１２）は端部側で連結ジョイント（３１６）を介して前記ダブルアーム切換爪（３０４）の横方向アーム（３１８）と結合されている、
ことを特徴とする、電動工作機械。
【請求項３】
工具受容部（２０）と、前記工具受容部（２０）を駆動するために電気オン／オフスイッチ（４０）を介してスイッチオン可能およびスイッチオフ可能な駆動モータ（１２）が中に配置された工具ハウジング（２４）とを有する電動工作機械（１０）であって、前記工具ハウジング（２４）には前記オン／オフスイッチ（４０）を少なくとも間接的に操作するための操作部分（３２,１００，２００，３００，４００，５００，６００，７００，８００，９００，１０００，１１００，１２００）が配置されており、前記操作部分（３２,１００，２００，３００，４００，５００，６００，７００，８００，９００，１０００，１１００，１２００）は少なくとも部分領域で前記工具ハウジング（２４）の長軸（２６）と少なくとも近似的に平行に延びている、そのような電動工作機械において、前記操作部分（３２,１００，２００，３００，４００，５００，６００，７００，８００，９００，１０００，１１００，１２００）はレバー状に構成されるとともに前記工具ハウジング（２４）に旋回可能に配置されており、前記電気オン／オフスイッチ（４０）の操作機構（４２）は前記長軸（２６）に対して少なくとも近似的に垂直に前記操作部分（３２,１００，２００，３００，４００，５００，６００，７００，８００，９００，１０００，１１００，１２００）に作用する操作力（ＦＢ）によって前記長軸（２６）と少なくとも近似的に平行にスライド可能であり、前記駆動モータ（１２）は前記操作部分（３２,１００，２００，３００，４００，５００，６００，７００，８００，９００，１０００，１１００，１２００）に対する前記操作力（ＦＢ）の作用によって前記電気オン／オフスイッチ（４０）の復帰力（ＦＳ）に抗してスイッチオン可能であり、前記駆動モータ（１２）は利用者による前記操作部分（３２,１００，２００，３００，４００，５００，６００，７００，８００，９００，１０００，１１００，１２００）のリリースによって少なくとも前記電気オン／オフスイッチ（４０）の前記復帰力（ＦＳ）に基づき自動的にスイッチオフ可能であり、
前記操作部分（１００，２００，３００，４００，５００，６００）は前記工具ハウジング（２４）に回転点（１０２，２０２，３０２，４０２，５０２，６０２）で旋回可能に受容され、前記回転点（１０２，２０２，３０２，４０２，５０２，６０２）の両側に第１および第２のアーム（１０６,１０８，２０６，２０８，３０６，３０８，４０６，４０８，５０６，５０８，６０６，６０８）を有するダブルアーム切換爪（１０４，２０４，３０４，４０４，５０４，６０４）を有するように構成され、
前記電気オン／オフスイッチ（４０）の前記操作機構（４２）は前記工具ハウジング（２４）に配置されたトグルレバー（４１０）によって操作可能であり、その中心ジョイント（４１６）は前記ダブルアーム切換爪（４０４）の端部側の横方向アーム（４１８）と連結ジョイント（４２０）を介して結合されている、
ことを特徴とする、電動工作機械。
【請求項４】
工具受容部（２０）と、前記工具受容部（２０）を駆動するために電気オン／オフスイッチ（４０）を介してスイッチオン可能およびスイッチオフ可能な駆動モータ（１２）が中に配置された工具ハウジング（２４）とを有する電動工作機械（１０）であって、前記工具ハウジング（２４）には前記オン／オフスイッチ（４０）を少なくとも間接的に操作するための操作部分（３２,１００，２００，３００，４００，５００，６００，７００，８００，９００，１０００，１１００，１２００）が配置されており、前記操作部分（３２,１００，２００，３００，４００，５００，６００，７００，８００，９００，１０００，１１００，１２００）は少なくとも部分領域で前記工具ハウジング（２４）の長軸（２６）と少なくとも近似的に平行に延びている、そのような電動工作機械において、前記操作部分（３２,１００，２００，３００，４００，５００，６００，７００，８００，９００，１０００，１１００，１２００）はレバー状に構成されるとともに前記工具ハウジング（２４）に旋回可能に配置されており、前記電気オン／オフスイッチ（４０）の操作機構（４２）は前記長軸（２６）に対して少なくとも近似的に垂直に前記操作部分（３２,１００，２００，３００，４００，５００，６００，７００，８００，９００，１０００，１１００，１２００）に作用する操作力（ＦＢ）によって前記長軸（２６）と少なくとも近似的に平行にスライド可能であり、前記駆動モータ（１２）は前記操作部分（３２,１００，２００，３００，４００，５００，６００，７００，８００，９００，１０００，１１００，１２００）に対する前記操作力（ＦＢ）の作用によって前記電気オン／オフスイッチ（４０）の復帰力（ＦＳ）に抗してスイッチオン可能であり、前記駆動モータ（１２）は利用者による前記操作部分（３２,１００，２００，３００，４００，５００，６００，７００，８００，９００，１０００，１１００，１２００）のリリースによって少なくとも前記電気オン／オフスイッチ（４０）の前記復帰力（ＦＳ）に基づき自動的にスイッチオフ可能であり、
前記操作部分（１００，２００，３００，４００，５００，６００）は前記工具ハウジング（２４）に回転点（１０２，２０２，３０２，４０２，５０２，６０２）で旋回可能に受容され、前記回転点（１０２，２０２，３０２，４０２，５０２，６０２）の両側に第１および第２のアーム（１０６,１０８，２０６，２０８，３０６，３０８，４０６，４０８，５０６，５０８，６０６，６０８）を有するダブルアーム切換爪（１０４，２０４，３０４，４０４，５０４，６０４）を有するように構成され、
前記電気オン／オフスイッチ（４０）の前記操作機構（４２）は第１および第２の制御カム（６１０，６１２）によって操作可能であり、第１および第２の前記制御カム（６１０，６１２）は前記ダブルアーム切換爪（６０４）に構成された横方向アーム（６１６）に互いに鏡像対称に構成されており、前記ダブルアーム切換爪（６０４）に操作力（ＦＢ）が作用すると第１および第２の前記制御カム（６１０，６１２）がそれぞれ交互に前記操作機構（４２）に当接する
ことを特徴とする、電動工作機械。
【請求項５】
工具受容部（２０）と、前記工具受容部（２０）を駆動するために電気オン／オフスイッチ（４０）を介してスイッチオン可能およびスイッチオフ可能な駆動モータ（１２）が中に配置された工具ハウジング（２４）とを有する電動工作機械（１０）であって、前記工具ハウジング（２４）には前記オン／オフスイッチ（４０）を少なくとも間接的に操作するための操作部分（３２,１００，２００，３００，４００，５００，６００，７００，８００，９００，１０００，１１００，１２００）が配置されており、前記操作部分（３２,１００，２００，３００，４００，５００，６００，７００，８００，９００，１０００，１１００，１２００）は少なくとも部分領域で前記工具ハウジング（２４）の長軸（２６）と少なくとも近似的に平行に延びている、そのような電動工作機械において、前記操作部分（３２,１００，２００，３００，４００，５００，６００，７００，８００，９００，１０００，１１００，１２００）はレバー状に構成されるとともに前記工具ハウジング（２４）に旋回可能に配置されており、前記電気オン／オフスイッチ（４０）の操作機構（４２）は前記長軸（２６）に対して少なくとも近似的に垂直に前記操作部分（３２,１００，２００，３００，４００，５００，６００，７００，８００，９００，１０００，１１００，１２００）に作用する操作力（ＦＢ）によって前記長軸（２６）と少なくとも近似的に平行にスライド可能であり、前記駆動モータ（１２）は前記操作部分（３２,１００，２００，３００，４００，５００，６００，７００，８００，９００，１０００，１１００，１２００）に対する前記操作力（ＦＢ）の作用によって前記電気オン／オフスイッチ（４０）の復帰力（ＦＳ）に抗してスイッチオン可能であり、前記駆動モータ（１２）は利用者による前記操作部分（３２,１００，２００，３００，４００，５００，６００，７００，８００，９００，１０００，１１００，１２００）のリリースによって少なくとも前記電気オン／オフスイッチ（４０）の前記復帰力（ＦＳ）に基づき自動的にスイッチオフ可能であり、
前記操作部分（７００，８００，９００）は、その一端が前記工具ハウジング（２４）の回転点（７０６，８０６，９０６）で旋回可能に受容されるシングルアーム切換爪（７０２，８０２，９０２）を有するように構成されており、前記回転点（７０６，８０６，９０６）は前記工具受容部（２０）から離れるほうを向いている前記工具ハウジング（２４）の後側の端部区域（４６）に配置されており、
前記電気オン／オフスイッチ（４０）の前記操作機構（４２）は前記工具ハウジング（２４）に旋回可能に配置されたダブルアームのレバー（７１０）の第１のアーム（７１２）に当接し、前記レバー（７１０）の第２のアーム（７１４）は前記シングルアーム切換爪（７０２）の突起（７１６）によって操作可能である
ことを特徴とする、電動工作機械。
【請求項６】
工具受容部（２０）と、前記工具受容部（２０）を駆動するために電気オン／オフスイッチ（４０）を介してスイッチオン可能およびスイッチオフ可能な駆動モータ（１２）が中に配置された工具ハウジング（２４）とを有する電動工作機械（１０）であって、前記工具ハウジング（２４）には前記オン／オフスイッチ（４０）を少なくとも間接的に操作するための操作部分（３２,１００，２００，３００，４００，５００，６００，７００，８００，９００，１０００，１１００，１２００）が配置されており、前記操作部分（３２,１００，２００，３００，４００，５００，６００，７００，８００，９００，１０００，１１００，１２００）は少なくとも部分領域で前記工具ハウジング（２４）の長軸（２６）と少なくとも近似的に平行に延びている、そのような電動工作機械において、前記操作部分（３２,１００，２００，３００，４００，５００，６００，７００，８００，９００，１０００，１１００，１２００）はレバー状に構成されるとともに前記工具ハウジング（２４）に旋回可能に配置されており、前記電気オン／オフスイッチ（４０）の操作機構（４２）は前記長軸（２６）に対して少なくとも近似的に垂直に前記操作部分（３２,１００，２００，３００，４００，５００，６００，７００，８００，９００，１０００，１１００，１２００）に作用する操作力（ＦＢ）によって前記長軸（２６）と少なくとも近似的に平行にスライド可能であり、前記駆動モータ（１２）は前記操作部分（３２,１００，２００，３００，４００，５００，６００，７００，８００，９００，１０００，１１００，１２００）に対する前記操作力（ＦＢ）の作用によって前記電気オン／オフスイッチ（４０）の復帰力（ＦＳ）に抗してスイッチオン可能であり、前記駆動モータ（１２）は利用者による前記操作部分（３２,１００，２００，３００，４００，５００，６００，７００，８００，９００，１０００，１１００，１２００）のリリースによって少なくとも前記電気オン／オフスイッチ（４０）の前記復帰力（ＦＳ）に基づき自動的にスイッチオフ可能であり、
前記操作部分（７００，８００，９００）は、その一端が前記工具ハウジング（２４）の回転点（７０６，８０６，９０６）で旋回可能に受容されるシングルアーム切換爪（７０２，８０２，９０２）を有するように構成されており、前記回転点（７０６，８０６，９０６）は前記工具受容部（２０）から離れるほうを向いている前記工具ハウジング（２４）の後側の端部区域（４６）に配置されており、
前記電気オン／オフスイッチ（４０）の前記操作機構（４２）は前記シングルアーム切換爪（８０２）のレバー軸（８１６）に対して実質的に垂直に成形された突起（８１８）に連結ロッド（８１４）によって枢支されるダブルアームのレバー（８０８）によって操作可能である、
ことを特徴とする、電動工作機械。
【請求項７】
工具受容部（２０）と、前記工具受容部（２０）を駆動するために電気オン／オフスイッチ（４０）を介してスイッチオン可能およびスイッチオフ可能な駆動モータ（１２）が中に配置された工具ハウジング（２４）とを有する電動工作機械（１０）であって、前記工具ハウジング（２４）には前記オン／オフスイッチ（４０）を少なくとも間接的に操作するための操作部分（３２,１００，２００，３００，４００，５００，６００，７００，８００，９００，１０００，１１００，１２００）が配置されており、前記操作部分（３２,１００，２００，３００，４００，５００，６００，７００，８００，９００，１０００，１１００，１２００）は少なくとも部分領域で前記工具ハウジング（２４）の長軸（２６）と少なくとも近似的に平行に延びている、そのような電動工作機械において、前記操作部分（３２,１００，２００，３００，４００，５００，６００，７００，８００，９００，１０００，１１００，１２００）はレバー状に構成されるとともに前記工具ハウジング（２４）に旋回可能に配置されており、前記電気オン／オフスイッチ（４０）の操作機構（４２）は前記長軸（２６）に対して少なくとも近似的に垂直に前記操作部分（３２,１００，２００，３００，４００，５００，６００，７００，８００，９００，１０００，１１００，１２００）に作用する操作力（ＦＢ）によって前記長軸（２６）と少なくとも近似的に平行にスライド可能であり、前記駆動モータ（１２）は前記操作部分（３２,１００，２００，３００，４００，５００，６００，７００，８００，９００，１０００，１１００，１２００）に対する前記操作力（ＦＢ）の作用によって前記電気オン／オフスイッチ（４０）の復帰力（ＦＳ）に抗してスイッチオン可能であり、前記駆動モータ（１２）は利用者による前記操作部分（３２,１００，２００，３００，４００，５００，６００，７００，８００，９００，１０００，１１００，１２００）のリリースによって少なくとも前記電気オン／オフスイッチ（４０）の前記復帰力（ＦＳ）に基づき自動的にスイッチオフ可能であり、
前記操作部分（７００，８００，９００）は、その一端が前記工具ハウジング（２４）の回転点（７０６，８０６，９０６）で旋回可能に受容されるシングルアーム切換爪（７０２，８０２，９０２）を有するように構成されており、前記回転点（７０６，８０６，９０６）は前記工具受容部（２０）から離れるほうを向いている前記工具ハウジング（２４）の後側の端部区域（４６）に配置されており、
前記電気オン／オフスイッチ（４０）の前記操作機構（４２）は、少なくとも部分領域でヨーク状であるとともに前記工具ハウジング（２４）の前記長軸（２６）と平行にスライド可能なように該工具ハウジングに受容された切換スライダ（９０８）によって操作可能であり、前記切換スライダ（９０８）の第１のアーム（９１０）は前記工具ハウジング（２４）のほうを向く突起（９１４）を有する連結ジョイント（９１６）を介して前記シングルアーム切換爪（９０２）と結合されており、前記切換スライダ（９０８）の第２のアーム（９１２）は前記電気オン／オフスイッチ（４０）の前記操作機構（４２）に当接する
ことを特徴とする、電動工作機械。
【請求項８】
前記操作部分（１００）には利用者によるコントロールされない操作を防止するための機械式のロック部材（１１６）が付属している、
ことを特徴とする、請求項１〜７のいずれか１項に記載の電動工作機械。
【請求項９】
前記操作部分（５００）は復帰ばね（５１４）により前記工具ハウジング（２４）に対して初期応力をかけられている、
ことを特徴とする、請求項１〜８のいずれか１項に記載の電動工作機械。
【発明の詳細な説明】
【技術分野】
【０００１】
本発明は、工具受容部と、工具受容部を駆動するために電気オン／オフスイッチを介してスイッチオン可能およびスイッチオフ可能な駆動モータが中に配置された工具ハウジングとを有する電動工作機械に関するものであり、工具ハウジングにはオン／オフスイッチを少なくとも間接的に操作するための操作部分が配置されており、操作部分は少なくとも部分領域で工具ハウジングの長軸と少なくとも近似的に平行に延びている。
【背景技術】
【０００２】
従来技術より、たとえばロッド形の工具ハウジングを備えていて、その中にそれぞれ付属の電気駆動モータが配置される、このような種類の電動工作機械が知られている。駆動モータのスイッチオンとスイッチオフをするために、たとえばハウジングの前領域に広い面積のレバー状の切換部材ないし切換爪として配置されている操作部分が設けられ、これによって駆動モータに付属する電気オン／オフスイッチが操作される。この場合、切換爪が利用者により工具ハウジングに向かって押圧されることによって、駆動モータがスイッチオンされる。
【０００３】
従来技術の欠点は、ロッド形の工具ハウジングならびにレバー状ないしタンブラ状の操作部分を有するこのような種類の電動工作機械において、ハウジング長軸と平行にアライメントされ、ないしは操作可能な操作タペットを有する電気オン／オフスイッチを、いっそう高くなる設計上のコストのもとでしか利用可能でないことにある。
【発明の概要】
【発明が解決しようとする課題】
【０００４】
したがって本発明の課題は、ハウジング長軸と平行に操作可能な電気オン／オフスイッチが、工具ハウジングの内部でのその（標準型の）取付位置の重大な変更なしに、かつ設計的に簡単な仕方により、レバー状ないしタンブラ状の操作部分を用いて操作可能である、工具ハウジングを備えた新規の電動工作機械を提供することにある。
【課題を解決するための手段】
【０００５】
この課題は、工具受容部と、工具受容部を駆動するために電気オン／オフスイッチを介してスイッチオン可能およびスイッチオフ可能な駆動モータが中に配置された工具ハウジングとを有する電動工作機械によって解決され、工具ハウジングにはオン／オフスイッチを少なくとも間接的に操作するための操作部分が配置されており、操作部分は少なくとも部分領域で工具ハウジングの長軸と少なくとも近似的に平行に延びている。操作部分はレバー状に構成されるとともに、工具ハウジングに旋回可能に配置されている。電気オン／オフスイッチの操作機構は、長軸に対して少なくとも近似的に垂直に操作部分に作用する操作力によって長軸と少なくとも近似的に平行にスライド可能であり、駆動モータは、操作部分に対する操作力の作用によって、電気オン／オフスイッチの復帰力に抗してスイッチオン可能であり、駆動モータは、利用者による操作部分のリリースによって、少なくとも電気オン／オフスイッチの復帰力に基づいて自動的にスイッチオフ可能である。
【０００６】
本発明に基づく操作部分のレバー状の構成に基づき、操作部分を利用者の側での少ない力コストで操作することができ、それと同時に、操作部分を押し下げることで疲労を生じることなく快適な連続動作が成立し、操作部分がコントロールのもとで、またはコントロールされずにリリースされた場合に、駆動モータが自動的にスイッチオフされる。操作部分は、利用者による快適な操作のために、人間工学的に構成された、工具ハウジングと反対を向いている広い面積の操作面を備えているのが好ましい。
【０００７】
操作部分には、利用者によるコントロールされない操作を防止するための機械式のロック部材が付属しているのが好ましい。それにより、電動工作機械を作動させるときの人的・物的な損害の危険が少なくなる。
【０００８】
操作部分は復帰ばねにより工具ハウジングに対して初期応力をかけられているのが好ましい。任意選択の復帰ばねにより、利用者の側で操作部分がリリースされた場合に、電気オン／オフスイッチに設けられるばねの作用、およびこれに伴う自動的なスイッチオフプロセスがサポートされる。
【０００９】
１つの実施形態では、操作部分は、工具ハウジングに回転点で旋回可能に受容されたダブルアーム切換爪を有するように構成される。それにより、軽い動きでのスイッチオンおよびスイッチオフのプロセスが、定義された操作力での操作部分の操作によって成立する。これに加えて、レバー状ないしタンブラ状の構成は、電動工作機械を連続動作させるために、操作部分を疲労することなく継続的に押し下げておくことを可能にする。
【００１０】
ダブルアーム切換爪は回転点の両側に第１および第２のアームを有しているのが好ましい。ダブルアーム切換爪の両方のアームの間の角度は、好適には区間境界を含めて、１４０°から２２０°の範囲内にあるのが好ましい。このようにして、半径方向で小さい操作部分の取付高さを具体化可能である。これに加えて、アームの長さを変えれば、ダブルアーム切換爪の伝達比を変更することができる。
【００１１】
１つの実施形態では、電気オン／オフスイッチの操作機構は工具ハウジングに旋回可能に配置された山形レバーの第１のアームによって操作可能であり、山形レバーの第２のアームはダブルアーム切換爪の第２のアームに当接し、または、山形レバーの第２のアームは連結ジョイントによりダブルアーム切換爪の第２のアームと結合される。それにより、工具ハウジングに関して半径方向で内方ないし外方に向かって延びるダブルアーム切換爪の運動方向の設計的に簡素な転換が成立する。接触するだけで、互いに噛み合うのではないコンポーネントによる「ジョイント式の」連結によって、設計的に特別に簡素な構造が成立するが、このような結合は引張力や押圧力を伝達するのには適していない。連結ジョイントが採用されるケースでは、摩擦力を同時に低減しながら、必要な取付スペースが削減され、このことは操作部分のいっそう正確な反応挙動につながる。連結ジョイントは、たとえばピンと長孔ないしゲートとの間の結合によって具体化されていてよく、このように相互に結合された２つのコンポーネントの相互関係で、純粋な回転運動のほかに並進運動も可能にする。
【００１２】
別の実施形態では、電気オン／オフスイッチの操作機構は、工具ハウジングに旋回可能に配置されたシングルアームのレバーの横方向アームによって操作可能であり、その１つのアームは端部側で連結ジョイントを介してダブルアーム切換爪の第２のアームの横方向アームと結合されている。ダブルアーム切換爪の上方で工具ハウジングに位置決めされるシングルアームのレバーに基づき、他の取付スペースに合わせた適合化が可能である。横方向アームとは、本明細書のコンテキストにおいては、レバーの１つのアームに対して、ないしはそのようなアームの長軸に対して、実質的に垂直に延びているアームないしウェブであると理解される。
【００１３】
別の実施形態では、電気オン／オフスイッチの操作機構は、工具ハウジングに配置されたトグルレバーによって操作可能であり、その中心ジョイントはダブルアーム切換爪の第２のアームの端部側の横方向アームと連結ジョイントを介して結合される。それにより、操作部分の操作経路の最終区域では、利用者の比較的低い操作力でいっそう高い軸方向の操作力が電気オン／オフスイッチの操作機構に作用する。
【００１４】
別の実施形態では、電気オン／オフスイッチの操作機構は、操作機構に当接する制御カムによって操作可能であり、制御カムはダブルアーム切換爪の第２のレバーアームの横方向アームに構成されている。それにより、一体的なので設計的に特別に簡素な操作部分の構造、ならびに電気オン／オフスイッチの操作機構の直接的な制御が可能である。制御カムは、たとえば楔形のランプ部を有するように構成されていてよい。これに加えて操作部分を非常に簡単に組立可能であるとともに、大量生産方式で、たとえば熱可塑性プラスチックの射出成形法で、低コストに製作することができる。
【００１５】
別の実施形態では、電気オン／オフスイッチの操作機構は第１および第２の制御カムによって操作可能であり、第１および第２の制御カムはダブルアーム切換爪の第２のレバーアームに垂直に構成された横方向アームに互いに鏡像対称に構成されており、ダブルアーム切換爪の第１または第２のアームに操作力が作用すると、第１および第２の制御カムがそれぞれ交互に操作機構に当接する。それにより、タンブラ状のダブルアーム切換爪はその無負荷の、すなわち利用者により操作されていない位置の範囲外に、駆動モータが通電ないしスイッチオンされる定義された２つのスイッチオン位置を備えている。操作されない中央位置にあるとき、電気オン／オフスイッチの操作機構は、平坦な「谷区域」ないしベース面もしくは中央面に当接する。平坦な谷区域の両側に、谷区域よりも大きい高さを有する、たとえば楔形または湾曲した制御カムが後続する。
【００１６】
別の実施形態では、操作部分は、工具ハウジングの回転点で旋回可能に受容されるシングルアーム切換爪を有するように構成されており、回転点は、工具受容部から離れるほうを向いている工具ハウジングの後側の端部区域に配置される。シングルアーム切換爪の１つのアームは工具ハウジングのほうを向く突起を有しているのが好ましい。それにより、スイッチオンをするために必要な、利用者により印加されるべき操作力をいっそう低減することができ、それと同時に、電気オン／オフスイッチの操作機構に対して高い操作力が作用する。
【００１７】
電気オン／オフスイッチの操作機構は、工具ハウジングに旋回可能に配置されたダブルアームのレバーの第１のアームに当接するのが好ましく、レバーの第２のアームはシングルアーム切換爪の突起によって操作可能である。介在するダブルアームのレバーにより、操作部分による電気オン／オフスイッチのインダイレクトな制御を、同時に高い力伝達比で具体化可能である。半径方向で内方を向く突起は、電気オン／オフスイッチの操作機構の間接的ないしインダイレクトな制御のために、工具ハウジングの内部で旋回可能に配置されたダブルアームのレバーの連結を可能にする。
【００１８】
別の実施形態では、電気オン／オフスイッチの操作機構は、シングルアーム切換爪のレバー軸に対して実質的に垂直に成形された突起に連結ロッドによって枢支されるダブルアームのレバーによって操作可能である。それにより、摩擦を生じる接触面が少ししか存在しなくなる。電気オン／オフスイッチの操作機構に当接するダブルアームのレバーの第１のアームは、連結ロッドに枢支されるダブルアームのレバーの第２のアームよりも大幅に長いのが好ましい。このようにして必要な取付スペースを削減することができ、機械的な伝達を具体化することができる。
【００１９】
別の実施形態では、電気オン／オフスイッチの操作機構は、少なくとも部分領域でヨーク状であるとともに工具ハウジングの長軸と平行にスライド可能なように工具ハウジングに受容された切換スライダによって操作可能であり、切換スライダの第１のアームは工具ハウジングのほうを向く突起を有する連結ジョイントを介してシングルアーム切換爪と結合されており、切換スライダの第２のアームは電気オン／オフスイッチの操作機構に当接する。それにより、電気オン／オフスイッチの制御のために利用できる取付スペースの特別に効率的な活用が成立する。
【００２０】
別の実施形態では、操作部分はトグルレバー切換爪を有するように構成される。それにより、電気オン／オフスイッチの操作機構に対して−特にスイッチオンプロセスが終了する頃に−操作力が比較的低いときすでに−比較的高い軸方向力が作用する。
【００２１】
このときトグルレバー切換爪は、電気オン／オフスイッチの直接的な操作のために、たとえば第１および第２のアームを有することができ、これらの互いに向き合う端部が中央ジョイントで相互に結合されており、中央ジョイントから離れるほうを向いている第１のアームの端部は回転点で工具ハウジングに受容されており、中央ジョイントから離れるほうを向いている第２のアームの端部は連結ジョイントを介して工具ハウジングと結合されている。電気オン／オフスイッチの操作は、中央ジョイントから離れるほうを向いている第２のアームの端部に設けられた操作アームによって行われる。電気オン／オフスイッチの直接的な操作に基づき、設計的な構造が簡素化される。
【００２２】
上記に加えて、電気オン／オフスイッチのインダイレクトな操作のために意図されるトグルレバー切換爪が設けられていてよい。この目的のために、トグルレバー切換爪は第１および第２のアームを備えていて、その互いに向き合う端部が中央ジョイントで相互に結合されており、中央ジョイントから離れるほうを向いている第１のアームの端部は連結ジョイントにより工具ハウジングと結合されており、中央ジョイントから離れるほうを向いている第２のアームの端部は回転点で工具ハウジングに受容される。電気オン／オフスイッチのインダイレクトな制御のために、実質的にＬ字型であるとともに長軸に沿ってスライド可能なように工具ハウジングで受容される切換スライダの第１の脚部が、連結ジョイントを介して、トグルレバー切換爪の第１のアームと結合されており、切換スライダの第２の脚部が電気オン／オフスイッチの操作機構に当接する。それにより、電気オン／オフスイッチのタペット状の操作機構で回転運動成分が回避される。
【００２３】
さらに、一体化されたスイッチオンロック部を備えるトグルレバー切換爪が可能である。このようなトグルレバー切換爪は第１および第２のアームを含んでおり、その互いに向き合う端部が中央ジョイントを介して相互に結合されており、中央ジョイントから離れるほうを向いている第１のアームの端部は回転点で工具ハウジングに受容されており、中央ジョイントから離れるほうを向いている第２のアームの端部は連結ジョイントにより工具ハウジングと結合される。電気オン／オフスイッチの操作は、やはり追加のコンポーネントを介在させることなく、中央ジョイントから離れるほうを向いている第２のアームの端部に構成されて電気オン／オフスイッチの操作機構に当接する操作アームを用いて直接的に行われる。スイッチオンロック部のロック部材は中央ジョイントで旋回可能に受容されており、工具ハウジングで利用することができる取付スペースの最善の活用がもたらされる。
【００２４】
簡素な設計上の構造を実現するために、旋回可能なロック部材は、ブロック部材と、これに対して直径上に配置される操作部材とを有している。ブロック部材は、ロック状態にあるとき前面で、半径方向で外方に向いている工具ハウジングの突起に当接する。ブロック部材は、中心ジョイントを中心としてわずかに旋回させることで、中央ジョイントが側方から突起に当接し、それにより電気オン／オフスイッチの操作のために工具ハウジングの方向へ操作力が作用したときにトグルレバー切換爪の両方のアームが旋回可能であるロック解除状態へと移行可能である。トグルレバー切換爪に省スペースに一体化されたスイッチオンロック部により、電動工作機械の使用時に作業安全性が著しく向上する。たとえば機械を運ぶときなどの駆動モータのコントロールされないスイッチオンが、確実に防止されるからである。
【００２５】
図面に示されている実施例を参照しながら、本発明について以下の記述で詳しく説明する。図面は次のものを示している：
【図面の簡単な説明】
【００２６】
【図１】本発明に基づく電動工作機械の駆動モータをオンオフするための電気オン／オフスイッチを操作するためのレバー状の操作部分を有する電動工作機械を示す斜視図である。
【図２】図１の電動工作機械とともに使用可能な操作部分の第１の実施形態を、電気オン／オフスイッチのオフ状態で示す図である。
【図３】図１の電動工作機械とともに使用可能な操作部分の第１の実施形態を、電気オン／オフスイッチのオン状態で示す図である。
【図４】図１の電動工作機械とともに使用可能な操作部分の第２の実施形態を、電気オン／オフスイッチのオン状態で示す図である。
【図５】図１の電動工作機械とともに使用可能な操作部分の第３の実施形態を、電気オン／オフスイッチのオフ状態で示す図である。
【図６】図１の電動工作機械とともに使用可能な操作部分の第３の実施形態を、電気オン／オフスイッチのオン状態で示す図である。
【図７】図１の電動工作機械とともに使用可能な操作部分の第４の実施形態を、電気オン／オフスイッチのオフ状態で示す図である。
【図８】図１の電動工作機械とともに使用可能な操作部分の第４の実施形態を、電気オン／オフスイッチのオン状態で示す図である。
【図９】図１の電動工作機械とともに使用可能な操作部分の第５の実施形態を、電気オン／オフスイッチのオフ状態で示す図である。
【図１０】図１の電動工作機械とともに使用可能な操作部分の第５の実施形態を、電気オン／オフスイッチのオン状態で示す図である。
【図１１】図１の電動工作機械とともに使用可能な操作部分の第６の実施形態を、電気オン／オフスイッチのオフ状態で示す図である。
【図１２】図１の電動工作機械とともに使用可能な操作部分の第６の実施形態を、電気オン／オフスイッチのオン状態で示す図である。
【図１３】図１の電動工作機械とともに使用可能な操作部分の第６の実施形態を、電気オン／オフスイッチのオン状態で示す図である。
【図１４】図１の電動工作機械とともに使用可能な操作部分の第７の実施形態を、電気オン／オフスイッチのオフ状態で示す図である。
【図１５】図１の電動工作機械とともに使用可能な操作部分の第７の実施形態を、電気オン／オフスイッチのオン状態で示す図である。
【図１６】図１の電動工作機械とともに使用可能な操作部分の第８の実施形態を、電気オン／オフスイッチのオフ状態で示す図である。
【図１７】図１の電動工作機械とともに使用可能な操作部分の第８の実施形態を、電気オン／オフスイッチのオン状態で示す図である。
【図１８】図１の電動工作機械とともに使用可能な操作部分の第９の実施形態を、電気オン／オフスイッチのオフ状態で示す図である。
【図１９】図１の電動工作機械とともに使用可能な操作部分の第９の実施形態を、電気オン／オフスイッチのオン状態で示す図である。
【図２０】図１の電動工作機械とともに使用可能な操作部分の第１０の実施形態を、電気オン／オフスイッチのオフ状態で示す図である。
【図２１】図１の電動工作機械とともに使用可能な操作部分の第１０の実施形態を、電気オン／オフスイッチのオン状態で示す図である。
【図２２】図１の電動工作機械とともに使用可能な操作部分の第１１の実施形態を、電気オン／オフスイッチのオフ状態で示す図である。
【図２３】図１の電動工作機械とともに使用可能な操作部分の第１２の実施形態を、電気オン／オフスイッチのオフ状態で示す図である。
【図２４】図１の電動工作機械とともに使用可能な操作部分の第１２の実施形態を、電気オン／オフスイッチのオン状態で示す図である。
【発明を実施するための形態】
【００２７】
図１は、図解として持ち運び可能なアンギュラ研削機の形式で構成され、工具ハウジング２４およびその中に配置された駆動モータ１２を有する電動工作機械１０を示しており、駆動モータはたとえば電子整流型モータ、直流モータなど任意のモータ型式であってよい。駆動モータ１２へのエネルギー供給は、ここでは一例として電源引込回線５８を介して行われる。その代替または補足として、１つまたは複数の付属の蓄電池パックを用いてエネルギー供給を行うこともできる。
【００２８】
駆動モータ１２は、好ましくはアンギュラギヤ１６および従動軸１８を介して工具受容部２０と結合された駆動軸１４を駆動する役目を果たす。工具受容部は、回転駆動可能なインサート工具２２、たとえば研削砥石、粗研削砥石、切断砥石などを受容するために構成されるのが好適である。
【００２９】
図解の棒状に構成されている工具ハウジング２４は長軸２６を有しており、長軸２６に対して横向きに工具ハウジング２４に配置されたハンドグリップ２８と並んで、もうひとつの別のハンドグリップとしての役目を果たし、それにより、電動工作機械１０の確実な両手での把持と保持が利用者によって可能である。工具ハウジング２４には、二重矢印３０の方向へ旋回可能なレバー状の操作部分３２が、利用者側で印加されるべき操作力ＦＢが作用したときに駆動モータ１２をスイッチオンおよびスイッチオフするために設けられている。レバー状の操作部分３２は、少なくとも部分領域で、かつ好ましくは近似的に、工具ハウジング２４の長軸２６と平行に延びるとともに、工具ハウジング２４から離れるほうを向く広い面積の人間工学的な操作面３４を備えているのが好適である。
【００３０】
さらに電動工作機械１０は、駆動モータ１２のスイッチオンとスイッチオフをするために、旋回可能なレバー状の操作部分３２と少なくとも間接的に機械的に結合された、好ましくは長軸２６と平行にスライド可能なタペット状の操作機構４２を備える電気オン／オフスイッチ４０を備えている。好ましくは二極で施工されるオン／オフスイッチ４０は、たとえば２つの柔軟な回線５０，５２を介して駆動モータ１２と電気的に接続されるとともに、別の柔軟な２つの回線５４，５６を介して、電源引込回線５８の位相（Ｐ）およびゼロ（Ｎ）と電気的に接続されている。電気オン／オフスイッチ４０と電源引込回線５８はいずれも工具ハウジング２４の後側の端部区域４６に位置決めされている。電気オン／オフスイッチ４０は、図１とは異なり、１８０°だけ回転させて工具ハウジング２４に位置決めされていてもよい。
【００３１】
図１の図面では、電気オン／オフスイッチ４０はスイッチオフ状態にあり、駆動モータ１２はスイッチオフされているのに対し、操作機構４２が押し下げられ、ないしは操作される−ここでは点線でのみ示唆する−電気オン／オフスイッチ４０のスイッチオン状態では、駆動モータ１２がスイッチオンされる。電気オン／オフスイッチ４０の操作機構４２は、工具受容部２０から離れるほうを向いている工具ハウジング２４の後側の端部区域４６の方向へ、ばね４４によって機械的に初期応力をかけられるのが好ましい。したがって、駆動モータ１２をスイッチオンし、さらには継続的にスイッチオン状態で保つために必要なのは、少なくともばね４４により印加される復帰力ＦＳを克服するために、操作力ＦＢが継続的に操作部分３２へ作用することである。それにより、操作機構４２が押し込まれた状態ないし操作された状態へと移行して保持され、電気オン／オフスイッチ４０が継続的にスイッチオン状態となる。利用者により印加されるべき操作力ＦＢは、図１から図２４に基づくすべての実施形態において、常に、工具ハウジング２４の長軸２６に対して少なくとも近似的かつ実質的に垂直に作用するのが好ましく、それに対して電気オン／オフスイッチ４０のタペット状の操作機構４２の軸方向運動は、常に、工具ハウジング２４の長軸２６に対して少なくとも近似的に平行に、ないしは二重矢印４８の方向に行われるのが好ましい。操作部分３２がコントロールのもとで、またはコントロールされずにリリースされた場合、電気オン／オフスイッチ４０はばね４４の力作用に基づき、駆動モータ１２が通電されないスイッチオフ状態へと自動的に戻るので、電動工作機械１０の「デッドマン機能」が事故防止のために成立する。
【００３２】
図２および図３−記述が進んでいく過程でこれらを同時に援用する−は、図１の電動工作機械１０の工具ハウジング２４に回転点１０２を中心として旋回可能に受容された、好ましくはダブルアーム切換爪１０４とともに構成されるレバー状の操作部分１００の第１の実施形態を示している。これは回転点１０２の両側に、ここでは略同一の長さで構成された第１および第２のアーム１０６，１０８を有しているのが好適である。両方のアーム１０６，１０８は図解として、１４０°から２４０°の間であってよい角度αをなしている。
【００３３】
電気オン／オフスイッチ４０の操作機構４２の制御は、工具ハウジング２４に旋回可能に受容された、たとえば三角形の、それ自体として第１および第２のアーム１１２，１１４を有する山形レバー１１０によって間接的に行われるのが好ましい。電気オン／オフスイッチ４０のばね４４の力作用に基づき、その操作機構４２は常に山形レバー１１０の第１のアーム１１２に当接する。同様のことは、ダブルアーム切換爪１０４の第２のアーム１０８に当接する、山形レバー１１０の第２のアーム１１４にも当てはまる。操作部分１１０で旋回可能に受容されるロック部材１１６が、電気オン／オフスイッチ４０の意図しない操作およびこれに伴う電動工作機械１０のコントロールされないスイッチオンを防止する。
【００３４】
ダブルアーム切換爪１０４の第１のアーム１０６に対して操作力ＦＢが作用すると、これが時計回りに旋回し、これと連結された山形レバー１１０が時計と反対回りに旋回する。それにより、タペット状の操作機構４２が電気オン／オフスイッチ４０の方向へ長軸２６と平行にスライドして、電動工作機械１０の駆動モータ１２が通電されるスイッチオン状態へと電気オン／オフスイッチ４０が移行する。このスイッチオン状態は、ダブルアーム切換爪１０４の第１のアーム１０６に操作力ＦＢが作用している限り有効に保たれる。操作力ＦＢが失われると、ないしは利用者によって操作部分１００がリリースされると、ダブルアーム切換爪１０４およびこれとともに山形レバー１１０が、以下に説明するすべての操作部分の実施形態で具体化される「デッドマン」機能性の過程で、電気オン／オフスイッチ４０の図２のスイッチオフ状態へと自動的に戻る。
【００３５】
図４は、図１の電動工作機械１０の工具ハウジング２４で回転点２０２を中心として旋回可能に受容された、やはり好ましくはダブルアーム切換爪２０４として構成される、レバー状の操作部分２００の第２の実施形態を示している。これは回転点２０２の両側に第１および第２のアーム２０６，２０８を備えているのが好ましい。電気オン／オフスイッチ４０の操作機構４２の間接的な制御は、工具ハウジング２４に旋回可能に受容された、それ自体として第１および第２のアーム２１２，２１４を有する、好適には三角形の山形レバー２１０によって行われる。これらのアームは希望される伝達比に依存して、等しい長さであってよく、あるいは相違する長さであってもよい。ブロック部材２１６により、操作部分２００の意図しない操作および電動工作機械１０のコントロールされないスイッチオンが回避される。
【００３６】
図２および図３に示す第１の実施形態とは異なり、操作部分２００のダブルアーム切換爪２０４の第２のアーム２０８と山形レバー２１０の第２のアーム２１４とは、連結ジョイント２１８によって相互に結合されている。この連結ジョイント２１８は、第２のアーム２０８の長孔２２０を含んでいるのが好ましく、これに第２のアーム２１４のピン２２２が係合する。電気オン／オフスイッチ４０の操作機構４２は、軸方向の初期応力に基づき、やはり山形レバー２１０の第１のアーム２１２に当接する。図４で図解の位置のとき、電気オン／オフスイッチ４０は、操作部分２００に対して作用する操作力ＦＢに基づいてスイッチオン状態にある。
【００３７】
図５および図６−記述が進んでいく過程でこれらを同時に援用する−は、図１の電動工作機械１０の工具ハウジング２４に回転点３０２を中心として旋回可能に受容された、好ましくはやはりダブルアーム切換爪３０４として構成されるレバー状の操作部分３００の第３の実施形態を示している。これは回転点３０２の両側に第１および第２のアーム３０６，３０８を有しているのが好適である。電気オン／オフスイッチ４０の操作機構４２の制御は、工具ハウジング２４で旋回可能に受容されたシングルアームのレバー３１０を用いて間接的に行われ、その１つのアーム３１２は、タペット状の操作機構４２に当接する横方向アーム３１４を有している。シングルアームのレバー３１０の１つのアーム３１２は、連結ジョイント３１６によって、ダブルアーム切換爪３０４の第２のアーム３０８に好ましくは端部側で構成された別の横方向アーム３１８と枢着結合されている。
【００３８】
図５で図解する位置のとき、電気オン／オフスイッチ４０は、タペット状の操作機構４２が電気オン／オフスイッチ４０からもっとも遠くまで突き出し、電動工作機械１０の駆動モータ１２が通電されず、ダブルアーム切換爪３０４の無負荷の第１のアーム３０６が半径方向で外方に向かって工具ハウジング２４から持ち上げられるスイッチオフ状態にある。図６では操作力ＦＢが操作部分３００のダブルアーム切換爪３０４に作用しており、それにより、操作部分は図解では回転点３０２を中心として時計回りに旋回し、シングルアームのレバー３１０も同じく時計回りに一緒に旋回し、それにより、操作機構４２のシングルアームのレバー３１０の横方向アーム３１４が押し下げられ、ないしは操作されて、電動工作機械１０の駆動モータ１２がスイッチオンされる。操作力ＦＢが失われると、電気オン／オフスイッチ４０は図５のスイッチオフ状態へと自動的に戻される。
【００３９】
図７および図８−記述が進んでいく過程でこれらを同時に援用する−は、図１の電動工作機械１０の工具ハウジング２４に回転点４０２を中心として旋回可能に受容された、好ましくはダブルアーム切換爪４０４として具体化されるレバー状の操作部分４００の第４の実施形態を示している。これは回転点４０２の両側に、好適には略同一の長さの第１および第２のアーム４０６，４０８を有しているのが好ましい。
【００４０】
電気オン／オフスイッチ４０の操作機構４２の制御は、間接的に、ならびに力増幅のために、第１および第２のアーム４１２，４１４を有する、工具ハウジング２４に旋回可能に受容されたトグルレバー４１０を用いて行われ、トグルレバー４１０の中央ジョイント４１６が、ダブルアーム切換爪４０４の第２のアーム４０８の端部側の横方向アーム４１８と、連結ジョイント４２０を介して枢着結合されている。トグルレバー４１０の第１のアーム４１２は別の連結ジョイント４２２によって工具ハウジング２４と結合されるのに対して、トグルレバー４１０の第２のアーム４１４は端部側で回転点４２４において工具ハウジング２４に枢支される。電気オン／オフスイッチ４０の機械式の制御のために、その軸方向で弾性作用により初期応力をかけられた操作機構４２に、中央ジョイント４１６から離れるほうを向いているトグルレバー４１０の第２のアーム４１２の端部４２８に構成された、湾曲する突合せ面４２６が当接する。図７では操作部分４００が無負荷であり、ないしは利用者によりリリースされており、それにより、電気オン／オフスイッチ４０はスイッチオフされた状態にあり、電動工作機械１０の駆動モータ１２はスイッチオフされている。それに対して図８では、操作力ＦＢが操作部分４００のダブルアーム切換爪４０４の第１のアーム４０６に作用し、それにより、トグルレバー４１０が略完全に伸長した位置をとっていて、電気オン／オフスイッチ４０は操作機構４２が略完全に押し下げられるスイッチオン状態にあり、電動工作機械１０の駆動モータ１２がスイッチオンされている。
【００４１】
図９および図１０−記述が進んでいく過程でこれらを同時に援用する−は、図１の電動工作機械１０の工具ハウジング２４に回転点５０２を中心として旋回可能に受容された、レバー状の操作部分５００の第５の実施形態を示している。これは、好適には回転点５０２の両側に第１および第２のアーム５０６，５０８を備えるダブルアーム切換爪５０４であるのが好ましい。
【００４２】
電気オン／オフスイッチ４０の操作機構４２の制御は、前掲の各実施形態とは異なり、タペット状の操作機構４２に当接する制御カム５１０を用いて直接的に行われるのが好ましい。制御カム５１０は、ダブルアーム切換爪５０４の第２のアーム５０８に好ましくは端部側で一体的に構成された横方向アーム５１２に一体成形されるとともに、一例としてランプ状ないし楔形の形態を有している。
【００４３】
図１０に模式的に示すように、ダブルアーム切換爪５０４の第１のアーム５０６に操作力ＦＢが作用すると、これが回転点５０２を中心として時計回りにわずかに旋回し、このとき、軸方向で弾性作用により初期応力をかけられている電気オン／オフスイッチ４０の操作機構４２が楔形の制御カム５１０に乗り上げて、その際に押し下げられる。その結果として電気オン／オフスイッチ４０がスイッチオン状態へと移行し、電動工作機械１０の駆動モータ１２が通電される。操作力ＦＢが失われると、ないしは利用者によって操作部分５００がリリースされると、このプロセスが逆に進行し、それにより操作機構４２が弾性伸長し、電動工作機械１０の駆動モータ１２がスイッチオフされる。ここで重要なのは、操作部分５００がリリースされたときに電気オン／オフスイッチ４０が図９のスイッチオフ状態へ自動的に戻るが、その一方で、電気オン／オフスイッチ４０の確実なオンとオフのために操作機構４２の十分な操作ストロークが成立するように、制御カム５１０の傾きないし傾斜が平坦に設計されるのが好ましいことである。このプロセスをサポートするために、工具ハウジング２４と、ダブルアーム切換爪５０４の第１のアーム５０６との間で支持される復帰ばね５１４が設けられていてよい。
【００４４】
図１１から図１３−記述が進んでいく過程でこれらを同時に援用する−は、図１の電動工作機械１０の工具ハウジング２４に回転点６０２を中心として旋回可能に受容された、好ましくはタンブラ状のダブルアーム切換爪６０４を有するように構成される、レバー状の操作部分６００の第６の実施形態を示している。これは、好適には回転点６０２の両側に第１および第２のアーム６０６，６０８を備えている。このときアーム６０６，６０８は実質的に等しい長さで構成されていてよく、あるいは５０％までの相互の長さ差を有することもできる。
【００４５】
電気オン／オフスイッチ４０の操作機構４２の制御は、図９および図１０の実施形態とは異なり、第１および第２の制御カム６１０，６１２と谷区域６１４とを利用して行われる。操作部分６００が利用者側でリリースされたとき、ないしは無負荷のとき、図１１から明らかなように操作機構４２は、互いに鏡像対称に構成されて本例では一例として楔形ないしランプ状の制御カム６１０，６１２の間の略中央に延びる、平坦な谷区域６１４に当接する。制御カム６１０，６１２の間の谷区域６１４の領域では、操作機構４２が完全に弾性伸長し、それによって電気オン／オフスイッチ４０がスイッチオフ状態になり、電動工作機械１０の駆動モータ１２がスイッチオフされる。制御カム６１０，６１２ならびにこれらの間に延びる谷区域６１４は、ダブルアーム切換爪６０４の第２のアーム６０８の端部側の横方向アーム６１６に一体成形されている。
【００４６】
切換爪６０４の第１のアーム６０６または第２のアーム６０８に対して操作力ＦＢが作用したとき、図１２に示すように第１の制御カム６１０が、または図１３から明らかなように第２の制御カム６１２が、電気オン／オフスイッチ４０の操作機構４２に当接し、それによって、操作部分６００が回転点６０２を中心として時計回りに、または時計と反対回りに十分に大きい旋回をすれば、操作機構４２が押し下げられて電気オン／オフスイッチ４０がスイッチオン状態に移行し、電動工作機械１０の駆動モータ１２がスイッチオンされる。操作部分６００がリリースされると、軸方向に弾性作用で初期応力をかけられた操作機構４２に基づき、電気オン／オフスイッチ４０がスイッチオフ状態になる図１１に示す位置へと自動的に復帰する。
【００４７】
図９および図１０の実施形態とは異なり、操作部分６００は電気オン／オフスイッチ４０がスイッチオン状態になる２つの位置を備えており、このことは電動工作機械１０のいっそう汎用的な取扱を可能にする。制御カム６１０，６１２の高さ６１８（図１２参照）は谷区域６１４に関して、電気オン／オフスイッチ４０が図１１に示す操作部分６００の無負荷状態を起点として旋回運動により確実にオンオフ可能であるように設定されるのが好ましい。
【００４８】
図１４および図１５−記述が進んでいく過程でこれらを同時に援用する−は、上に説明したいずれの実施形態とも異なり、１つのアーム７０４が回転点７０６で図１の電動工作機械１０の工具ハウジング２４の後側の端部区域４６（図１参照）に枢支されるシングルアーム切換爪７０２を有するように構成された、レバー状の操作部分７００の第７の実施形態を示している。アーム７０４に旋回可能に配置されたブロック部材７０８により、操作部分７００の意図しない操作およびこれに伴う電動工作機械１０のコントロールされないスイッチオンが回避される。
【００４９】
軸方向で弾性作用により初期応力をかけられた電気オン／オフスイッチ４０の操作機構４２の、ここでもやはり間接的に行われる制御は、工具ハウジング２４に旋回可能に受容された、第１および第２のアーム７１２，７１４を有するダブルアームのレバー７１０によって行われる。操作機構４２はダブルアームのレバー７１０の第１のアーム７１２に当接し、それに対して第２のアーム７１４は、シングルアーム切換爪７０２のアーム７０４に一体成形され、工具ハウジング２４のほうを向く突起７１６に当接する。
【００５０】
図１４では電気オン／オフスイッチ４０はオフ状態にあり、それにより電動工作機械１０の駆動モータ１２は通電されていない。ブロック部材７０８が時計と反対回りに旋回しているときに操作力ＦＢがシングルアーム切換爪７０２のアーム７０４に作用すると、シングルアーム切換爪７０２の突起７１６がレバー７１０の第２のアーム７１４に対して押圧し、それによってこのレバーが時計と反対回りに旋回し、レバー７１０の第１のアーム７１２が操作機構４２を押し下げ、それは、電動工作機械１０の駆動モータ１２が通電されるスイッチオン状態へと電気オン／オフスイッチ４０が移行するまで行われる。シングルアーム切換爪７０２が再びリリースされると、操作機構４２がレバー７１０の第１のアーム７１２に対して押圧し、その結果としてこのレバーが時計回りに旋回する。それにより、レバー７１０の第２のアーム７１４が突起７１６を半径方向外側に向かって押圧し、それにより、シングルアーム切換爪７０２は工具ハウジング２４から持ち上げられた図１４の位置を自動的にとり、電気オン／オフスイッチがスイッチオフ状態になる。
【００５１】
図１６および図１７−記述が進んでいく過程でこれらを同時に援用する−は、１つのアーム８０４が好適には回転点８０６で図１の電動工作機械１０の工具ハウジング２４の後側の端部区域４６（図１参照）に枢支されるシングルアーム切換爪８０２を有するように好ましくは構成された、レバー状の操作部分８００の第８の実施形態を示している。軸方向で弾性作用により初期応力をかけられた電気オン／オフスイッチ４０の操作機構４２の、ここでも同じくインダイレクトに行われる制御は、工具ハウジング２４で旋回可能に受容された、第１および第２のアーム８１０，８１２を有するダブルアームのレバー８０８によって行われ、第１のアーム８１０はここでは一例として第２のアーム８１２より明らかに長く構成されている。操作機構４２は第１のアーム８１０に当接し、それに対して第２のアーム８１２は連結ロッド８１４を介して、シングルアーム切換爪８０２のアーム８０４のレバー軸８１６に対して少なくとも近似的に垂直に構成された突起８１８に枢支されている。
【００５２】
図１６では電気オン／オフスイッチ４０はオフ状態にあり、それにより電動工作機械１０の駆動モータ１２は通電されていない。操作力ＦＢが作用すると、シングルアーム切換爪８０２が図１７のように工具ハウジング２４に当接し、それによってレバー８０８が連結ロッド８１４により図解のように時計と反対回りに旋回し、レバー８０８の第１のアーム８１０が電気オン／オフスイッチ４０の操作機構４２を押し下げて、これをスイッチオン状態に移行させる。シングルアーム切換爪８０２がリリースされるとこのプロセスが逆に進み、電気オン／オフスイッチ４０は自動的に、操作部分８００ないシングルアーム切換爪８０２が同時に工具ハウジング２４から持ち上げられるスイッチオフ状態になる。
【００５３】
図１８および図１９−記述が進んでいく過程でこれらを同時に援用する−は、１つのアーム９０４が好ましくは回転点９０６で図１の電動工作機械１０の工具ハウジング２４の後側の端部区域４６（図１参照）に枢支されるシングルアーム切換爪９０２を有する、レバー状の操作部分９００の第９の実施形態を示している。軸方向で弾性作用により初期応力をかけられた電気オン／オフスイッチ４０の操作機構４２の、ここでも好適には間接的に行われる制御は、長軸２６と平行にスライド可能なように工具ハウジング２４に受容された、第１および第２の端部９１０，９１２を備えるヨーク状ないしＵ字型の切換スライダ９０８によって行われる。
【００５４】
シングルアーム切換爪９０２のアーム９０４には、ヨーク状の切換スライダ９０８に操作部分９００を枢着連結する役目を果たす、工具ハウジング２４に対して半径方向で内方を向く三角形の突起９１４が一体成形されているのが好ましい。ヨーク状の切換スライダ９０８の第１の端部９１０は、複合的な回転・並進の運動経過を可能にする連結ジョイント９１６によって操作部分９００と、ないしはアーム９０４と枢着結合されている。連結ジョイント９１６は、突起９１４にある長孔９１８ないしゲート案内部と、その中に収容された、ヨーク状の切換スライダ９０８の第１の端部９１０にあるピン９２０とを有するように構成されるのが好ましい。長孔９１８は長軸２６に関して斜めに施工されている。ヨーク状の切換スライダ９０８の第２の端部９１２は、電気オン／オフスイッチ４０の操作機構４２に当接する。
【００５５】
図１８の図面では、電気オン／オフスイッチ４０はスイッチオフ状態にあり、軸方向で弾性作用により初期応力をかけられた操作機構４２が、ヨーク状の切換スライダ９０８および連結ジョイント９１６によって、操作部分９００を工具ハウジング２４から持ち上げられた図示する位置へと旋回させる。図１９では操作力ＦＢが操作部分９００に作用しており、それにより、操作部分が回転点９０６を中心として時計回りに旋回し、ピン９２０が長孔９１８の中でスライドする。それによって切換スライダ９０８およびこれとともにその第２の端部９１２が長軸２６と平行に電気オン／オフスイッチ４０の方向へスライドし、それにより、その操作機構４２が押し下げられて、電動工作機械１０の駆動モータ１２がスイッチオンされる電気オン／オフスイッチ４０のスイッチオン状態に到達する。電気オン／オフスイッチ４０がスイッチオン状態にあるとき、図１９から明らかなように、操作部分９００は少なくとも部分領域で工具ハウジング２４に当接するとともに、工具ハウジング２４の長軸２６と平行に延びる。操作部分９００ないしシングルアーム切換爪９０２がリリースされると、すなわち操作力ＦＢが操作部分９００に作用しなくなると、このプロセスが逆に進み、電気オン／オフスイッチ４０は、電動工作機械１０の駆動モータ１２が通電されない、図１８で図解のスイッチオフ状態になる。
【００５６】
図２０および図２１−記述が進んでいく過程でこれらを同時に援用する−は、好適には上で説明したいずれの実施形態とも異なりトグルレバー切換爪１００２を有するように構成された、好ましくは二重レバー状の操作部分１０００の第１０の実施形態を示している。これは第１および第２のアーム１００４，１００６を含んでいるのが好ましく、それらの互いに向き合う端部１００８，１０１０が中央ジョイント１０１２で互いに枢着結合されている。中央ジョイント１０１２から離れるほうを向いている第１のアーム１００４の他の端部１０１４は、回転点１０１６で工具ハウジング２４に回転可能に受容されている。中央ジョイント１０１２から離れるほうを向いている第２のアーム１００６の他の端部１０１８は、連結ジョイント１０２０でスライド可能かつ旋回可能なように受容される。中央ジョイント１０１２から離れるほうを向いている第２のアーム１００６の端部１０１８には、これに対して少なくとも近似的に垂直に、軸方向で弾性作用により初期応力をかけられた電気オン／オフスイッチ４０の操作機構４２に当接する操作アーム１０２２が好ましくは一体的に成形されている。上記のどの実施形態とも異なり、操作機構４２は工具ハウジング２４の後側の端部区域４６から離れるほうを向いており、すなわち、反対向きに工具ハウジング２４に組み込まれている。
【００５７】
図２０から明らかなとおり、操作部分１０００ないしトグルレバー切換爪１００２は無負荷であり、ないしは利用者によりリリースされており、それにより、電気オン／オフスイッチ４０はスイッチオフ状態にあり、電動工作機械１０の駆動モータ１２はスイッチオフされる。そして操作力ＦＢが、長手方向に沿った任意の個所でトグルレバー切換爪１００２に作用すると、これが少なくとも部分的に伸長した図２１の状態へと移行する。このとき第２のアーム１００６の端部１０１８がスライドし、これとともに操作アーム１０２２が工具ハウジング２４の後側の端部区域４６の方向へスライドして、操作機構４２を操作し、ないしはこれを押し下げ、それにより、電気オン／オフスイッチ４０がスイッチオン状態へと移行して、電動工作機械１０の駆動モータ１２がスイッチオンされる。操作部分１０００がリリースされ、ないしは無負荷のときはプロセスが逆に進行し、電気オン／オフスイッチ４０は、トグルレバー切換爪２０が操作機構４２の力作用に基づいて工具ハウジング２４から持ち上げられる位置へ押し戻される、図２０のスイッチオフ状態へと自動的に移行する。
【００５８】
図２２は、好ましくはやはりトグルレバー切換爪１１０２とともに構成される、二重レバー状の操作部分１１００の第１１の実施形態を例示している。これは第１および第２のアーム１１０４，１１０６を含んでいるのが好適であり、それらの互いに向き合う端部１１０８，１１１０が中央ジョイント１１１２で互いに枢着結合されている。中央ジョイント１１１２から離れるほうを向いている第１のアーム１１０４の他の端部１１１４は、共通の連結ジョイント１１１６で工具ハウジング２４にスライド可能かつ旋回可能なように受容されている。中央ジョイント１１１２から離れるほうを向いている第２のアーム１１０６の他の端部１１１８は、回転ジョイント１１２０で回転可能ないし旋回可能なように受容される。工具ハウジング２４には、Ｌ字型ないし山形の切換スライダ１１２４の第１の脚部１１２２が長手方向スライド可能に、ないし長軸２６と平行にスライド可能に受容されるのが好ましい。第１の脚部１１２２に比較して縮小された長さを有し、これに対して横向きに延びる切換スライダ１１２４の第２の脚部１１２６は、電気オン／オフスイッチ４０の操作機構４２に当接する。
【００５９】
図２２でスイッチオフ状態のとき、操作部分１１００ないしトグルレバー切換爪１１０２は無負荷であり、電気オン／オフスイッチ４０はスイッチオフ状態にあり、それにより電動工作機械１０の駆動モータ１２も同じくスイッチオフされる。軸方向で弾性作用により初期応力をかけられる電気オン／オフスイッチ４０の操作機構４２の力作用に基づき、トグルレバー切換爪１１０２の両方のアーム１１０４，１１０６は、工具ハウジング２４から持ち上げられた位置にある。そして操作力ＦＢが、トグルレバー切換爪１１０２に長手方向に沿った任意の個所でこれに作用すると、切換スライダ１１２４が工具ハウジング２４の後側の端部区域４６から離れるようにスライドし、操作機構４２を押し下げ、操作機構が、電動工作機械１０の駆動モータ１２が通電されるスイッチオン状態へと移行する（図示せず）。操作部分１１００がリリースされた場合にはプロセスが逆に進行し、電気オン／オフスイッチ４０が図２２のスイッチオフ状態に達する。
【００６０】
図２３および図２４−記述が進んでいく過程でこれらを同時に援用する−は、同じくトグルレバー切換爪１２０２を有するように構成された、好ましくは二重レバー状の操作部分１２００の第１２の実施形態を示している。これは第１および第２のアーム１２０４，１２０６を含んでいるのが好適であり、それらの互いに向き合う端部１２０８，１２１０が中央ジョイント１２１２で互いに枢着結合されている。中央ジョイント１２１２から離れるほうを向いている第１のアーム１２０４の他の端部１２１４は、回転ジョイント１２１６で工具ハウジング２４に旋回可能ないし回転可能に受容されている。中央ジョイント１２１２から離れるほうを向いている第２のアーム１２０６の他の端部１２１８は、連結ジョイント１２２０でスライド可能かつ旋回可能なように工具ハウジング２４と結合される。第２のアーム１２０６の端部１２１８には、これに対して鈍角のもとで、電気オン／オフスイッチ４０の操作機構４２に当接する操作アーム１２２２が構成されている。このとき電気オン／オフスイッチ４０は、図２０から図２２の実施形態と比較して鏡像対称に工具ハウジング２４で位置決めされる。
【００６１】
ここでは一例として中央ジョイント１２１２で旋回可能に支承されるロック部材１１６は、ブロック部材１２２４ならびにこれに対して直径上に配置された操作部材１２２６を含んでいるのが好ましい。図２３のロック状態のとき、半径方向で外方を向いている工具ハウジング２４の突起１２２８にブロック部材１２２４が当接し、それにより、操作部分１２００の操作およびこれに伴う電動工作機械１０の駆動モータ１２の意図しないスイッチオンが可能でなくなる。ロック部材１１６はばね１２３０によって初期応力をかけられており、それにより、操作部分１２００がリリースされた後は自動的に図２３の位置へ旋回して戻る。
【００６２】
ロック状態を解消してロック部材１１６のロック解除状態を実現するには、ロック部材１１６をばね１２３０の力作用に抗して、矢印で図示する方向へ旋回させなければならない。操作力ＦＢが操作部分１２００へ同時に作用すると、トグルレバー切換爪１２０２が、アーム１２０４，１２０６が実質的に平行に工具ハウジング２４に下面で当接する略完全に伸長した図２４の位置に達し、このときブロック部材１２２４は突起１２２８に側方で当接し、ロック部材１１６は、工具ハウジング２４に関して半径方向で内方に向かうトグルレバー切換爪１２０２の運動をもはや阻止しない。このときに操作アーム１２２２が工具ハウジング２４の後側の端部区域４６の方向へスライドして、電気オン／オフスイッチ４０の操作機構４２を押し下げ、それにより、これが−図２４から明らかなように−スイッチオン状態に達し、電動工作機械１０の駆動モータ１２がスイッチオンされる。操作部分１２００がリリースされ、ないしは操作力ＦＢが存在しないときは運動プロセスが逆に進行し、トグルレバー切換爪１２０２は、軸方向で弾性作用により初期応力をかけられた操作機構４２の力作用に基づき、電気オン／オフスイッチ４０がオフ状態にあり電動工作機械１０の駆動モータ１２が通電されない、工具ハウジング２４から持ち上げられた図２３の位置へ押し戻される。
【符号の説明】
【００６３】
１０  電動工作機械
１２  駆動モータ
２０  工具受容部
２４  工具ハウジング
２６  長軸
３２,１００，２００，３００，４００，５００，６００，７００，８００，９００，１０００，１１００，１２００  操作部分
４０  オン／オフスイッチ
４２  操作機構
１０２，２０２，３０２，４０２，５０２，６０２  回転点
１０４，２０４，３０４，４０４，５０４，６０４  ダブルアーム切換爪
１０６,１０８，２０６，２０８，３０６，３０８，４０６，４０８，５０６，５０８，６０６，６０８  第１および第２のアーム
１１０，２１０  山形レバー
１１２，２１２  第１のアーム
１１４，２１４  第２のアーム
１１６  ロック部材
３１０  シングルアームのレバー
３１２  アーム
３１４  横方向アーム
３１６  連結ジョイント
４１０  トグルレバー
４１６  中央ジョイント
４１８  横方向アーム
４２０  連結ジョイント
５１０  制御カム
５１２  横方向アーム
５１４  復帰ばね
６１０，６１２  第１および第２の制御カム
６１６  横方向アーム
７０２，８０２，９０２  シングルアーム切換爪
７０６，８０６，９０６  回転点
７１０  ダブルアームのレバー
８０８  ダブルアームのレバー
８１４  連結ロッド
８１８  突起
９０８  切換スライダ
９１４  突起
９１６  連結ジョイント
１００２，１１０２，１２０２  トグルレバー切換爪
【図１】
2019069511.tif 000003
【図２】
2019069511.tif 000004
【図３】
2019069511.tif 000005
【図４】
2019069511.tif 000006
【図５】
2019069511.tif 000007
【図６】
2019069511.tif 000008
【図７】
2019069511.tif 000009
【図８】
2019069511.tif 000010
【図９】
2019069511.tif 000011
【図１０】
2019069511.tif 000012
【図１１】
2019069511.tif 000013
【図１２】
2019069511.tif 000014
【図１３】
2019069511.tif 000015
【図１４】
2019069511.tif 000016
【図１５】
2019069511.tif 000017
【図１６】
2019069511.tif 000018
【図１７】
2019069511.tif 000019
【図１８】
2019069511.tif 000020
【図１９】
2019069511.tif 000021
【図２０】
2019069511.tif 000022
【図２１】
2019069511.tif 000023
【図２２】
2019069511.tif 000024
【図２３】
2019069511.tif 000025
【図２４】
2019069511.tif 000026